(57)【特許請求の範囲】
【請求項１】
発信元の名前と当該発信元の電話番号及びメールアドレスのうちの少なくとも一方と当該発信元からの着信時に出力する着信音の種類と当該発信元を特定する文字列とを予め登録する記憶手段と、
着信時にその着信の発信元に対応して前記記憶手段に記憶された種類の着信音を鳴動させる音声出力手段と、
前記音声出力手段において前記着信音の鳴動中に外部からの指示に応答して前記記憶手段に登録された文字列に対応する音声情報を前記音声出力手段から出力させるよう制御する制御手段と、
前記着信音による１次的な識別情報に加え、直接的に前記発信元を特定する文字列に対応した音声情報を２次的な特定情報として出力する手段とを含み、
前記制御手段は外部指示に応答して前記１次的な識別情報出力手段の鳴動を停止させてから、或いは、鳴動の出力音量を小さくしてから前記２次的な特定情報を出力させることを特徴とする移動通信端末装置。
【請求項２】
前記制御手段は前記２次的な特定情報の出力後に前記１次的な識別情報の出力を再開し、再度外部からの指示に応答して前記２次的な特定情報を出力させることを特徴とする請求項１記載の移動通信端末装置。
【請求項３】
前記音声出力手段は、前記着信時にその着信の発信元の電話番号及びメールアドレスのうちの少なくとも一方に対応する２次的な特定情報である音声情報を着信音として出力することを特徴とする請求項１又は請求項２記載の移動通信端末装置。
【請求項４】
前記音声出力手段は、前記着信音の代替として検索して得られた着信識別及び発信元に関する１次的な情報のいずれかを音声情報として出力することを特徴とする請求項１又は請求項２記載の移動通信端末装置。
【請求項５】
着信時にその着信の発信元に対応する種類の着信音を鳴動するステップと、
前記発信元の名前と当該発信元の電話番号及びメールアドレスのうちの少なくとも一方と当該発信元からの着信時に出力する着信音の種類と当該発信元を特定する文字列とが予め登録される記憶手段に登録された文字列に対応する音声情報を前記着信音の鳴動中における外部からの指示に応答して出力するステップと、
前記着信音による１次的な識別情報に加え、直接的に前記発信元を特定する文字列に対応した音声情報を２次的な特定情報として出力するステップとを有し、
外部指示に応答して前記１次的な識別情報出力手段の鳴動を停止させてから、或いは、鳴動の出力音量を小さくしてから前記２次的な特定情報を出力するようにしたことを特徴とする移動通信端末装置の着信識別方法。
【請求項６】
前期２次的な特定情報として出力するステップの後に、前記１次的な識別情報の出力を再開し、再度外部からの指示に応答して前記２次的な特定情報を出力するようにしたことを特徴とする請求項５記載の移動通信端末装置の着信識別方法。
【請求項７】
前記着信時にその発信元の電話番号及びメールアドレスのうちの少なくとも一方に対応する２次的な特定情報である音声情報を着信音として出力することを特徴とする請求項５又は請求項６記載の移動通信端末装置の着信識別方法。
【請求項８】
前記着信音の代替として検索して得られた着信識別や発信元に関する１次的な情報を音声情報として出力することを特徴とする請求項５又は請求項６記載の移動通信端末装置の着信識別方法。
【発明の詳細な説明】
【０００１】
【発明の属する技術分野】
本発明は移動通信端末装置及びそれに用いる着信識別方法に関し、特に移動通信端末装置において着信時に発信元の情報を識別する方法に関する。
【０００２】
【従来の技術】
従来、移動通信端末装置においては、着信時に発信元の情報を識別する手段として、発信元の電話番号やメールアドレスを発信元の情報として表示させる方法が用いられている。
【０００３】
また、移動通信端末装置では、発信先の電話番号やメールアドレスをその名称とともに電話帳として自装置に登録しておき、その電話帳を着信時に受信した発信元の電話番号やメールアドレスで検索して名称等の情報を表示させる方法もある。
【０００４】
【発明が解決しようとする課題】
しかしながら、上述した従来の移動通信端末装置では、折り畳み構造の端末を携帯している時や折り畳み構造でない端末でもポケットに収納している等、着信時表示によって発信元情報が容易に識別することができない。
【０００５】
また、着信音の種類を発信元や着信内容に対応させることで、発信元に関する情報を得ることができるが、対象となる発信元が多数になると、抽象的な着信音の種類では明確に発信元を識別することは困難である。
【０００６】
そこで、本発明の目的は上記の問題点を解消し、表示によらずに着信音の種類によってあるグループ単位の発信元や着信種別までの情報を識別することができ、外部指定に応じて発信元を特定する情報を得ることができる移動通信端末装置及びそれに用いる着信識別方法を提供することにある。
【０００７】
【課題を解決するための手段】
本発明による移動通信端末装置は、発信元の名前と発信元の電話番号及びメールアドレスのうちの少なくとも一方と発信元からの着信時に出力する着信音の種類と当該発信元を特定する文字列とを予め登録する記憶手段と、着信時にその着信の発信元に対応して記憶手段に記憶された種類の着信音を鳴動させる音声出力手段と、音声出力手段において着信音の鳴動中に外部からの指示に応答して記憶手段に登録された文字列に対応する音声情報を音声出力手段から出力させるよう制御する制御手段と、着信音による１次的な識別情報に加え、直接的に発信元を特定する文字列に対応した音声情報を２次的な特定情報として出力する手段と、外部指示に応答して１次的な識別情報出力手段の鳴動を停止させてから、或いは、鳴動の出力音量を小さくしてから２次的な特定情報を出力させる手段とを備えている。
【０００８】
本発明による移動通信端末装置の着信識別方法は、着信時にその着信の発信元に対応する種類の着信音を鳴動するステップと、発信元の名前と当信元の電話番号及びメールアドレスのうちの少なくとも一方と発信元からの着信時に出力する着信音の種類と発信元を特定する文字列とが予め登録される記憶手段に登録された文字列に対応する音声情報を着信音の鳴動中における外部からの指示に応答して出力するステップと、外部指示に応答して１次的な識別情報出力手段の鳴動を停止させてから、或いは、鳴動の出力音量を小さくしてから２次的な特定情報を出力するステップとを備えている。
【０００９】
すなわち、本発明の移動通信端末装置の着信識別方法は、携帯電話等の移動体通信端末装置の着信時に発信元の判別を行う手段として、発信元情報の音声出力によって容易に識別を可能とするものである。
【００１０】
本発明の移動通信端末装置では、着信時に着信音が鳴動している状態において、ユーザのキー入力によって起動されると、着信音とは別に音声による発信元情報を出力するので、表示による発信元情報によらなくても発信元を識別することが可能となる。
【００１１】
【発明の実施の形態】
次に、本発明の実施例について図面を参照して説明する。図１は本発明の一実施例による移動通信端末装置の構成を示すブロック図である。図１においては、端末自体をユーザの耳に近づけなくても音声を十分聞き取ることが可能な音声出力機能を持つ端末装置の一構成例を示している。
【００１２】
図１において、移動通信端末装置１は操作部１１と、表示部１２と、音声出力部１３と、制御部１４と、入出力部１５と、送受信部１６と、メモリ１７とから構成されている。
【００１３】
操作部１１は自装置に対する操作を受付け、表示部１２は自装置の状態や必要な情報を表示する。音声出力部１３は着呼や自装置の状態変化を報知するための着信音及びＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）データをデコードする等の方法によって得られる音声情報を出力する。
【００１４】
制御部１４は自装置を構成する各部の動作を制御する。入出力部１５は通話の音声の入出力を行い、送受信部１６は無線通信の送受信を行う。メモリ１７は情報や設定を保存し、自装置の一般的な保存情報や設定情報のほかに、着信音の波形生成に必要な波形情報や音声情報を生成するのに必要なＡＤＰＣＭデータが記憶されている。
【００１５】
図２は図１の音声出力部１３の一構成例を示すブロック図である。図２において、音声出力部１３は着信音波形生成部３１と、加算器３２と、アンプ３３と、スピーカ３４と、ＡＤＰＣＭデコーダ３５とから構成されている。
【００１６】
音声出力部１３においては着信音鳴動時に制御部１４から着信音の波形情報が着信音波形生成部３１に入力されて着信音の波形が生成され、アンプ３３で増幅されてスピーカ３４からオーディオ出力として出力されることによって、着信が外部に報知される。
【００１７】
また、音声出力部１３においては音声出力時に制御部１４からＡＤＰＣＭデータがＡＤＰＣＭデコーダ３５に入力されてアナログ音声波形にデコードされ、アンプ３３で増幅されてスピーカ３４からオーディオ出力として出力されることによって、ＡＤＰＣＭデータによる音声情報が外部に出力される。
【００１８】
図３は本発明の一実施例による移動通信端末装置１の斜視図である。図３において、移動通信端末装置１は筐体１０が折り畳み構造となっており、通常時に折り畳んで携帯され、通話や表示操作時に筐体１０を開いて使用される。
【００１９】
アンテナ１６ａは送受信部１６において電波を高周波に変換して受信回路へ入力し、また送信回路の高周波出力を電波として輻射する。レシーバ１５ａは音声通話時に入出力部１５でユーザの耳にあてて受話音声を出力し、マイク１５ｂは音声通話時に入出力部１５でユーザの声を送話音声として入力する。
【００２０】
表示部１２は折り畳み構造のレシーバ１５ａ側に配置され、操作部１１は主要部分１１ａが折り畳み構造のマイク１５ｂ側に配置されているが、一部のスイッチ１１ｂが折り畳み時にも操作することができるように、筐体１０の側面に配置されている。
【００２１】
図４は本発明の一実施例による移動通信端末装置の動作を示すフローチャートである。これら図１〜図４を参照して本発明の一実施例による移動通信端末装置の動作について説明する。
【００２２】
まず、移動通信端末装置１では操作部１１の操作によって電話帳編集機能を起動させる。この電話帳編集機能にて名前と電話番号やメールアドレスの情報とに加えて着信音の種類と音声情報とを操作部１１にて文字として入力を行う。
【００２３】
このようにして作成された電話帳データはメモリ１７に記憶され、操作部１１の操作によって必要な時に表示部１２に表示させて閲覧可能にするとともに、閲覧後、操作部１１の操作によって閲覧した宛先に電話やメールの発信を行うことができる。
【００２４】
また、電話やメールの着信時には自装置に対して送信される発信元情報（電話番号やメールアドレス）によって電話帳に登録されている電話番号やメールアドレスを検索し、発信元の名前を着信時に表示部１２に表示することもできる。
【００２５】
電話帳データに個々の名前にあわせて着信音の種類が登録されていれば、電話かメールか等の着信したものの種別だけでなく、特定の名前に応じた着信音で報知することもできる。この時、着信時に検索した名前の電話帳データで登録されている着信音の種類に応じた波形情報が着信音波形生成部３１に入力される。
【００２６】
さらに、電話帳データに個々の名前にあわせて音声情報に対応した文字列が登録されていれば、文字列に対応して予めメモリ１７に記憶されているＡＤＰＣＭデータがＡＤＰＣＭデコーダ３５に入力され、メモリ１７に登録されていた文字列の音声情報がスピーカ３４から出力される。
【００２７】
一般的に、着信音の鳴動とともに、音声情報もあわせて出力するのは、発信元情報が周囲に聞こえてしまうため、必ずしもユーザにとって有益とは限らない。本発明の一実施例では着信時に予め設定された着信音で鳴動し、ユーザが操作部１１のスイッチ１１ｂを操作して音声情報出力を促した時にだけ、その音声情報を重畳出力する。
【００２８】
また、ユーザが操作部１１のスイッチ１１ｂを操作して音声情報出力を促した時に着信音出力を停止し、音声情報を出力することで、音声情報が聞き取りやすくなるように工夫している。さらに、着信音の種類は着信音の代りに、図示せぬバイブレータの振動や着信種別を示す音声情報等でも同じ作用となる。
【００２９】
移動通信端末装置１では自装置に着信があると（図４ステップＳ１）、発信元情報（電話番号やメールアドレス等）を受信していない場合（図４ステップＳ２）、着信種別（音声着信かメールアドレスか等）で予め指定されている着信音で報知する（図４ステップＳ３）。この着信音の種類は音階等のバリエーションをもつ着信音メロディも含む。操作部１１で着信の確認操作を行うと（図４ステップＳ４）、着信音の報知を終了する。
【００３０】
移動通信端末装置１では着信時に発信元情報を受信した場合（図４ステップＳ１，Ｓ２）、発信元情報で電話帳を検索し（図４ステップＳ５）、検索一致したデータがなければ（図４ステップＳ６）、上記の発信元情報を受信しなかった時と同様に、着信種別で指定された着信音で報知する（図４ステップＳ３）。しかしながら、本発明の一実施例では発信元情報の文字列を音声情報として出力することも可能である。
【００３１】
移動通信端末装置１では電話帳で検索一致したデータがあれば（図４ステップＳ６）、着信種別及び電話帳で指定された着信音で報知する（図４ステップＳ７）。その後に、ユーザが操作部１１のスイッチ１１ｂを押下すると（図４ステップＳ８）、着信音の鳴動を停止し、予め電話帳に登録された文字列から変換された音声情報を出力する（図４ステップＳ９）。
【００３２】
音声情報の出力が完了すると、再度着信音の鳴動を再開する（図４ステップＳ７）。この場合、ユーザの嗜好によって鳴動を再開しない設定も考えられる。着信音が鳴動している間に、操作部１１で着信確認の操作がなされると（図４ステップＳ１０）、その着信動作が完了する。
【００３３】
このように、着信音の種類によって、あるレベルまで着信内容や発信元の識別を容易に行うことができ、ユーザによるスイッチ１１ｂの操作に応じて着信音による１次的な識別情報に加え、意図的に直接的な発信元を特定する文字列に対応した音声情報を２次的な特定情報として得ることができる。
【００３４】
特に、折り畳み構造の端末を携帯している時や折り畳み構造でない端末でもポケットに収納している等、着信時表示によって発信元情報を容易に識別することができない場合でも、ユーザによるスイッチ１１ｂの操作（ユーザの意志）によって、発信元を特定する音声情報を得ることができる。
【００３５】
また、着信音の種類を特定の１人だけに対応させるのではなく、着信の種別や複数の人あるいはグループに対応させて識別した上で、着信音でまずある程度絞り込まれた複数名まで発信元を識別した上で、さらにスイッチ１１ｂの操作によって発信元を特定することができる。したがって、日常的に移動通信端末装置１を携帯する状況で着信時の利便性を向上させることができる。
【００３６】
図５は本発明の他の実施例による移動通信端末装置１の音声出力部の一構成例を示すブロック図である。図５において、本発明の他の実施例による音声出力部１８はボリューム３６を設けた以外は図２に示す本発明の一実施例による音声出力部１３と同様の構成となっており、同一構成要素には同一符号が付してある。また、同一構成要素の動作は本発明の一実施例と同様である。
【００３７】
音声出力部１８においては着信音鳴動時に制御部１４から着信音の波形情報が着信音波形生成部３１に入力されて着信音の波形が生成され、アンプ３３で増幅されてスピーカ３４からオーディオ出力として出力されることによって、着信が外部に報知される。この場合、着信音波形生成部３１の出力とアンプ３３との間にはボリューム３６が挿入されており、このボリューム３６によって音声出力に対する相対的な着信音の音量を変化させることができる。
【００３８】
また、音声出力部１８においては音声出力時に制御部１４からＡＤＰＣＭデータがＡＤＰＣＭデコーダ３５に入力されてアナログ音声波形にデコードされ、アンプ３３で増幅されてスピーカ３４からオーディオ出力として出力されることによって、ＡＤＰＣＭデータによる音声情報が外部に出力される。
【００３９】
図６は本発明の他の実施例による移動通信端末装置の動作を示すフローチャートである。これら図１と図５と図６とを参照して本発明の他の実施例による移動通信端末装置の動作について説明する。尚、本発明の他の実施例による移動通信端末装置の内部構造は音声出力部１３の代りに音声出力部１８を配置した以外は図１に示す構造と同様であり、その外観も図３に示す通りである。
【００４０】
移動通信端末装置１では自装置に着信があると（図６ステップＳ２１）、発信元情報（電話番号やメールアドレス等）を受信していない場合（図６ステップＳ２２）、着信種別（音声着信かメールアドレスか等）で予め指定されている着信音で報知する（図６ステップＳ２３）。この着信音の種類は音階等のバリエーションをもつ着信音メロディも含む。操作部１１で着信の確認操作を行うと（図６ステップＳ２４）、着信音の報知を終了する。
【００４１】
移動通信端末装置１では着信時に発信元情報を受信した場合（図６ステップＳ２１，Ｓ２２）、発信元情報で電話帳を検索し（図６ステップＳ２５）、検索一致したデータがなければ（図６ステップＳ２６）、上記の発信元情報を受信しなかった時と同様に、着信種別で指定された着信音で報知する（図６ステップＳ２３）。しかしながら、本発明の他の実施例でも発信元情報の文字列を音声情報として出力することも可能である。
【００４２】
移動通信端末装置１では電話帳で検索一致したデータがあれば（図６ステップＳ２６）、着信種別及び電話帳で指定された着信音で報知する（図６ステップＳ２７）。その後に、ユーザが操作部１１のスイッチ１１ｂを押下すると（図６ステップＳ２８）、着信音の鳴動の音量を予め決められた分だけ相対的に下げ、予め電話帳に登録された文字列から変換された音声情報を出力する（図６ステップＳ２９）。
【００４３】
音声情報の出力が完了すると、着信音の音量を基の音量に復帰させ（図６ステップＳ３０）、再度着信音の鳴動を再開する（図６ステップＳ２７）。この場合、ユーザの嗜好によって鳴動を再開しない設定も考えられる。着信音が鳴動している間に、操作部１１で着信確認の操作がなされると（図６ステップＳ３１）、その着信動作が完了する。
【００４４】
このように、音声情報出力時に相対的に着信音の音量を下げて音声情報を重畳出力させているので、着信音の鳴動によって１次的な着信の識別を行った上で、意図的に音声情報を確実に聞き取り、発信元を特定する音声情報を得ることができる。また、着信音の鳴動が継続されることによって、場合によっては発信元情報の音声出力がなされることで周囲を気遣う場合でも、比較的目立たずに情報を得ることができる。
【００４５】
【発明の効果】
以上説明したように本発明によれば、着信時にその発信元に対応する着信音の種別で鳴動し、その着信音の鳴動中に外部指示に応答して発信元の名前と当該発信元の電話番号及びメールアドレスのうちの少なくとも一方と当該発信元からの着信時の着信音の種類と当該発信元を特定する音声情報に対応する文字列とが予め登録されている記憶手段に登録された文字列に対応する音声情報を出力することによって、表示によらずに着信音の種類によってあるグループ単位の発信元や着信種別までの情報を識別することができ、外部指定に応じて発信元を特定する情報を得ることができるという効果がある。
【図面の簡単な説明】
【図１】本発明の一実施例による移動通信端末装置の構成を示すブロック図である。
【図２】図１の音声出力部の一構成例を示すブロック図である。
【図３】本発明の一実施例による移動通信端末装置の斜視図である。
【図４】本発明の一実施例による移動通信端末装置の動作を示すフローチャートである。
【図５】本発明の他の実施例による移動通信端末装置の音声出力部の一構成例を示すブロック図である。
【図６】本発明の他の実施例による移動通信端末装置の動作を示すフローチャートである。
【符号の説明】
１  移動通信端末装置
１０  筐体
１１  操作部
１１ａ  主要部分
１１ｂ  スイッチ
１２  表示部
１３，１８  音声出力部
１４  制御部
１５  入出力部
１５ａ  レシーバ
１５ｂ  マイク
１６  送受信部
１６ａ  アンテナ
１７  メモリ
３１  着信音波形生成部
３２  加算器
３３  アンプ
３４  スピーカ
３５  ＡＤＰＣＭデコーダ
３６  ボリューム
【図１】
0003853572.tif 000002
【図２】
0003853572.tif 000003
【図３】
0003853572.tif 000004
【図４】
0003853572.tif 000005
【図５】
0003853572.tif 000006
【図６】
0003853572.tif 000007